(57)【要約】【課題】表示対象が視認しやすく、利便性を向上できる表示装置を提供すること。【解決手段】表示装置１Ａは、筒状に形成されたケース２と、ケース２の軸方向一端側に設けられた第１端面側表示パネル３Ａとを備えている。さらに、表示装置１Ａは、ケース２の軸方向他端側に設けられた第２端面側表示パネル３Ｂと、ケース２の外周側に設けられた周面側表示パネル３Ｃとを備えている。これにより、表示装置１Ａの全面において、時刻や日時等の表示対象を表示することができるので、表示装置１Ａを自由な向きに置くことができ、利便性を向上できる。また、表示装置１Ａを持ち運んでいる時も、当該表示装置１Ａの全面に表示対象が表示されているので、即座に時刻等の表示対象を視認できて利便性を向上できる。【選択図】図２
2008089512.tif 000002
【特許請求の範囲】
【請求項１】
筒状に形成されたケースと、
前記ケースの軸方向一端側に設けられた第１端面側表示パネルと、
前記ケースの軸方向他端側に設けられた第２端面側表示パネルと、
前記ケースの外周側に設けられた周面側表示パネルとを備えている
ことを特徴とする表示装置。
【請求項２】
請求項１に記載の表示装置において、
前記ケースは、筒状に形成された筒部、および前記筒部の軸方向一端側から前記筒部の外側に向かって立ち上がった立上がり部を含んで構成されたケース本体と、
前記筒部の軸方向他端側に取り付けられて前記立上がり部と対向配置された環状部材とを備え、
前記立上がり部および前記環状部材の間に形成されて前記筒部の外周面に沿って連続する周状の開口には、当該開口を閉塞する透光性のカバーガラスが設けられ、
前記周面側表示パネルは、前記筒部と、前記立上がり部と、前記環状部材と、前記カバーガラスとによって囲まれた空間内に設けられている
ことを特徴とする表示装置。
【請求項３】
請求項２に記載の表示装置において、
前記筒部は、円筒状に形成され、
前記筒部の内周面において、前記立上がり部が形成された軸方向一端側には、前記筒部の内周面から内側に向かって突出する鍔状の挟持部が当該内周面に沿って設けられているとともに、前記挟持部より軸方向内側には、前記筒部の内周面から内側に向かって突出する複数の突出状挟持部が設けられ、
前記第１端面側表示パネルは、円板状に形成され、前記突出状挟持部に対応する位置には、前記突出状挟持部に対応する切欠きが形成され、
この切欠きを前記突出状挟持部に合わせた状態で、前記第１端面側表示パネルを前記挟持部間に配置した後、さらに回転させることで、前記第１端面側表示パネルが前記挟持部および前記突出状挟持部の間に挟持され、
前記筒部の軸方向他端側には、前記筒部の内周面から内側に向かって突出する鍔状の挟持部が当該内周面に沿って設けられているとともに、前記環状部材には、当該環状部材の内周面から内側に向かって突出する鍔状の挟持部が当該内周面に沿って設けられ、これらの挟持部の間には、略円板状に形成された前記第２端面側表示パネルが挟持されている
ことを特徴とする表示装置。
【請求項４】
請求項１から請求項３のいずれかに記載の表示装置において、
前記筒部および前記各端面側表示パネルに囲まれた空間には、前記各表示パネルに電力を供給する電池が設けられている
ことを特徴とする表示装置。
【請求項５】
請求項１から請求項４のいずれかに記載の表示装置において、
重力加速度方向に対する各表示パネルの傾斜状態を検出するためのセンサを備え、
前記センサからの情報により検出された各表示パネルの重力加速度方向に対する傾斜状態に基づいて、各表示パネルの表示状態を制御する
ことを特徴とする表示装置。
【請求項６】
請求項１から請求項５のいずれかに記載の表示装置において、
前記周面側表示パネルは、可撓性を有する電気泳動ディスプレイである
ことを特徴とする表示装置。
【発明の詳細な説明】
【技術分野】
【０００１】
本発明は、表示装置に関し、例えば、時刻を表示する時刻表示装置に関する。
【背景技術】
【０００２】
従来、時刻の表示装置として、円柱状に形成されてその下端面が台座によって支持されているとともに、周面には表示部が設けられ、当該周面に時刻が表示される時計が知られている（例えば、特許文献１参照）。
【０００３】
【特許文献１】実開昭５６−１１０３８６号公報
【発明の開示】
【発明が解決しようとする課題】
【０００４】
しかしながら、前記特許文献１の時計では、周面にのみ表示部が設けられているので、下方や上方から当該時計を見た場合、時刻を視認できず、不便であるという問題があった。特に、前記特許文献１のような置き時計では、時計の姿勢が一定であるため、時刻を視認できない状態は少ないが、懐中時計の場合、時計を手に取るごとに、または、どこかに置くごとに、時計の向きが変わりやすいので、時刻表示面を直ちに視認できない場合も多く、不便であるという問題があった。このような問題は、時刻を表示する時計に限らず、各種情報を表示する様々な表示装置においても同様であり、特に携帯して利用する携帯型の表示装置において顕著であった。
【０００５】
本発明の目的は、表示対象が視認しやすく、利便性を向上できる表示装置を提供することにある。
【課題を解決するための手段】
【０００６】
本発明の表示装置は、筒状に形成されたケースと、前記ケースの軸方向一端側に設けられた第１端面側表示パネルと、前記ケースの軸方向他端側に設けられた第２端面側表示パネルと、前記ケースの外周側に設けられた周面側表示パネルとを備えていることを特徴とする。
ここで、筒状のケースとは、四角筒状等の多角筒状のケースや、円筒状のケースを含む。また、ケースの軸方向一端側とは、例えば、両端が開口した円筒状のケースの場合、当該ケースの開口面のうちの一方の開口面側を指す。
本発明によれば、筒状のケースの軸方向両端側および外周側には、各表示パネルが設けられ、表示装置の全面において、時刻や日時等の表示対象を表示することができるので、表示装置を自由な向きに置くことができ、利便性を向上できる。また、表示装置を持ち運んでいる時も、即座に時刻等の表示を視認できて利便性を向上できる。
【０００７】
本発明では、前記ケースは、筒状に形成された筒部、および前記筒部の軸方向一端側から前記筒部の外側に向かって立ち上がった立上がり部を含んで構成されたケース本体と、  前記筒部の軸方向他端側に取り付けられて前記立上がり部と対向配置された環状部材とを備え、前記立上がり部および前記環状部材の間に形成されて前記筒部の外周面に沿って連続する周状の開口には、当該開口を閉塞する透光性のカバーガラスが設けられ、前記周面側表示パネルは、前記筒部と、前記立上がり部と、前記環状部材と、前記カバーガラスとによって囲まれた空間内に設けられていることが好ましい。
本発明によれば、ケースは、ケース本体と環状部材との２部材で構成されるため、組立て作業性を向上できる。また、環状部材がねじでケース本体に取り付けられる場合、環状部材には、例えば孔が形成され、ケース本体には、ねじ穴が形成され、ねじが孔に挿入されケース本体のねじ穴に螺合することにより、環状部材がケース本体に取り付けられる。この際、環状部材に設けられた孔には、防湿・防水用のパッキンを嵌める必要があるが、本発明では、ケース本体の片側だけに環状部材を取り付ければよいので、パッキンの設置場所を減らすことができて防水性を確保しやすくなる。さらに、ケース本体と環状部材との接合面を１つにできるため、ケース本体と環状部材との間に介装する防湿・防水用のパッキンも容易に、かつ、確実に取り付けることができる。そのため、表示装置の外側から、筒部と、立上がり部と、環状部材と、カバーガラスとによって囲まれた空間内への湿気の侵入を防ぐことができ、周面側表示パネルへの湿度の影響を低減させることができて信頼性を向上できる。
【０００８】
本発明では、前記筒部は、円筒状に形成され、前記筒部の内周面において、前記立上がり部が形成された軸方向一端側には、前記筒部の内周面から内側に向かって突出する鍔状の挟持部が当該内周面に沿って設けられているとともに、前記挟持部より軸方向内側には、前記筒部の内周面から内側に向かって突出する複数の突出状挟持部が設けられ、前記第１端面側表示パネルは、円板状に形成され、前記突出状挟持部に対応する位置には、前記突出状挟持部に対応する切欠きが形成され、この切欠きを前記突出状挟持部に合わせた状態で、前記第１端面側表示パネルを前記挟持部間に配置した後、さらに回転させることで、前記第１端面側表示パネルが前記挟持部および前記突出状挟持部の間に挟持され、前記筒部の軸方向他端側には、前記筒部の内周面から内側に向かって突出する鍔状の挟持部が当該内周面に沿って設けられているとともに、前記環状部材には、当該環状部材の内周面から内側に向かって突出する鍔状の挟持部が当該内周面に沿って設けられ、これらの挟持部の間には、略円板状に形成された前記第２端面側表示パネルが挟持されていることが好ましい。
【０００９】
本発明によれば、ケース本体の軸方向他端側（立上がり部が形成されていない側）から、筒部内に第１端面側表示パネルを挿入し、切欠きを突出状挟持部に合わせた状態で、第１端面側表示パネルを挟持部間に配置した後、さらに回転させ、第１端面側表示パネルを挟持部および突出状挟持部の間に挟持させることにより、当該第１端面側表示パネルをケースの軸方向一端側に設置することができる。
また、ケース本体の軸方向他端側から、挟持部上に第２端面側表示パネルを載置するとともに、周面側表示パネルおよびカバーガラスを筒部外周に嵌め込み、立上がり部に支持させる。そして、環状部材を筒部の軸方向他端側に取り付け、第２端面側表示パネルをケース本体の挟持部と、環状部材の挟持部との間に挟持させることで、当該第２端面側表示パネルをケースの軸方向他端側に設置することができる。また、周面側表示パネルおよびカバーガラスを立上がり部と環状部材との間に挟持させることで、周面側表示パネルをケースの周面側に設置することができるとともに、カバーガラスを、立上がり部および環状部材の間に形成された周状の開口に設置することができる。
従って、ケース本体に、各表示パネル、カバーガラス、および環状部材を、ケース本体の軸方向他端側（立上がり部が形成されていない側）から取り付けることできるので、組立て作業性をより向上させることができる。また、この際、ケース本体を、立上がり部が形成されたケースの軸方向一端側の端面を下側に向けて組立て作業を行うことにより、各表示パネルおよびカバーガラスを、ケース本体に上方から嵌め込むことができ、より組立てを容易にできてさらに作業性を向上できる。
【００１０】
本発明では、前記筒部および前記各端面側表示パネルに囲まれた空間には、前記各表示パネルに電力を供給する電池が設けられていることが好ましい。
本発明によれば、各表示パネルに電力を供給する電池は、筒部および各端面側表示パネルによって囲まれた空間内に設けられているので、容量の大きい大型の電池を設置することができ、各表示パネルの駆動時間を延ばすことができる。また、この際、電池を各表示パネルで共有すれば、表示装置の構造を単純化できる。
【００１１】
本発明の表示装置では、重力加速度方向に対する各表示パネルの傾斜状態を検出するためのセンサを備え、前記センサからの情報により検出された各表示パネルの重力加速度方向に対する傾斜状態に基づいて、各表示パネルの表示状態を制御することが好ましい。
本発明によれば、重力加速度方向に対する各表示パネルの傾斜状態を検出するためのセンサを備えているので、例えば、各端面側表示パネルや周面側表示パネルにおいて、時刻や絵等の表示対象の下側が重力加速度方向の向きとなるように、表示対象の表示を行うことで、より表示対象の視認性を向上させることができ、利便性をさらに向上できる。
【００１２】
本発明では、前記周面側表示パネルは、可撓性を有する電気泳動ディスプレイであることが好ましい。
本発明によれば、周面側表示パネルは、可撓性を有する電気泳動ディスプレイであるので、筒状のケースの外周側に設けられる周面側表示パネルとして好適であり、時計の周面に渡って時刻や日時等を表示することができて利便性を一層向上できる。また、電気泳動ディスプレイは、メモリー性の表示体であるため、電圧を切った後でも静止画像を画面に残すことができるうえ、バックライトも不要なので、消費電力を低減できる。
【発明の効果】
【００１３】
以上の発明によれば、表示対象が視認しやすくなり、利便性を向上できる。
【発明を実施するための最良の形態】
【００１４】
〔第１実施形態〕
以下、本発明の第１実施形態を図面に基づいて説明する。
〔全体構成〕
図１は、本実施形態に係る時計１Ａの斜視図である。
図１に示すように、本実施形態に係る表示装置である時計１Ａは、軸方向の長さが直径に比べて短い円柱状に形成され、ケース２と、ケース２の軸方向一端側に設けられた第１端面側表示パネル３Ａと、ケース２の軸方向他端側に設けられた第２端面側表示パネル３Ｂ（図２参照）と、ケース２の外周側に設けられた周面側表示パネル３Ｃとを備えている。なお、本実施形態では、各表示パネル３Ａ，３Ｂ，３Ｃには、電気泳動ディスプレイパネルが用いられている。また、ケース２には鎖が取り付け可能となっており、時計１Ａを置時計として用いる以外に、懐中時計や、部屋の壁・天井や利用者の首等から吊り下げ可能な時計としても用いることができるようになっている。
【００１５】
図２は、時計１Ａの分解斜視図、図３は、時計１Ａを径方向で切った断面図である。
図２に示すように、ケース２は、ケース本体４と、ケース本体４に取り付けられる環状部材５とを備え、略円筒状に形成されている。
ケース本体４は、図２および図３に示すように、開口４１Ａを有する筒部４１と、筒部４１の軸方向一端側から径方向外側に立ち上がった立上がり部４２とを備え、径方向に切った断面が略Ｌ字状となるように形成されている。
【００１６】
図４は、端面側表示パネル３Ａのケース本体４への取り付け構造を説明するための図である。具体的には、図４（Ａ）は、図３に示した時計１ＡのＡ−Ａ断面図、図４（Ｂ）は、端面側表示パネル３Ａを示す平面図である。
ケース本体４における筒部４１の内周面の一端側には、図３および図４に示すように、内周面から内側に向かって突出する鍔状の挟持部４１１が当該内周面に沿って設けられているとともに、前記挟持部４１１より軸方向内側には、内周面から内側に向かって突出する複数（５個）の突出状挟持部４１２が設けられている。
【００１７】
これらの挟持部４１１，４１２の間には、図３に示すように、端面側表示パネル３Ａが狭持されている。端面側表示パネル３Ａは、図４（Ｂ）に示すように、略円板状に形成され、外周端部の突出状挟持部４１２に対応する位置には、突出状挟持部４１２より若干大きい切欠き３Ａ１が形成されている。この端面側表示パネル３Ａは、当該端面側表示パネル３Ａと接続する制御基板３１（図８参照）により駆動される。なお、この制御基板３１の構成については、詳しくは後述するが、制御基板３１は、ポリイミドやポリエステル等の可撓性を有する樹脂から構成されたフレキシブル基板であり、例えば、筒部４１の内周面に沿って取り付けられている。また、図２および図３に示すように、開口４１Ａには、端面側表示パネル３Ａを覆うように、透光性を有するカバーガラス６Ａが嵌められ、挟持部４１１によって支持されている。
【００１８】
ケース本体４のカバーガラス６Ａが嵌められる軸方向一端側の端面には、図１および図２に示すように、後述する端面側表示パネル３Ａ，３Ｂを含めた各表示パネル３Ａ，３Ｂ，３Ｃに対し、時刻表示から日付表示への変更等の各種の操作を行うための３つのボタン４３が配設されている。本実施形態では、このボタン４３が配設された側が時計１Ａの表側となる。
【００１９】
図２および図３に示すように、筒部４１の軸方向他端側の径方向外側には、ねじ穴４１３１が形成された複数（５個）の取付部４１３が形成されている。また、筒部４１の略中央部分には、詳しくは後述するが、周面側表示パネル３Ｃを制御する筒部４１の外周に設けられた図示しない制御基板と、端面側表示パネル３Ａ，３Ｂを制御する図示しない各制御基板とを接続するリード線、および周面側表示パネル３Ｃを制御する図示しない制御基板と、詳しくは後述する中心側空間内Ｓ１に配置される図示しない電池７１とを接続するリード線等を通すための孔４１６が形成されている。筒部４１の内周面の他端側には、内周面から内側に向かって突出する鍔状の挟持部４１４が当該内周面に沿って設けられている。なお、この挟持部４１４には、組立時に端面側表示パネル３Ａをケース本体４の軸方向他端側から筒部４１内に挿入するための図示しない切込みが形成されている。
立上がり部４２の環状部材５と対向する側の面には、周面側表示パネル３Ｃを挟持する断面視略凹状、かつ、平面視略環状の溝部４２１が形成されている。また、この溝部４２１の径方向外側には、周面側表示パネル３Ｃを覆う環状のカバーガラス６Ｃを支持する平面視略環状の支持部４４が形成されている。
【００２０】
環状部材５は、図２および図３に示すように、開口５Ａを有した環状の部材であり、外径寸法がケース本体４の立上がり部４２の外径寸法と略等しい大きさに形成されているとともに、内径寸法がケース本体４の内径寸法と略等しい大きさに形成され、立上がり部４２に対向配置されている。開口５Ａの周囲には、前記ねじ穴４１３１に対応した位置に孔５１が形成されており、環状部材５は、この孔５１にねじ７が挿通され、当該ねじ７がケース本体４のねじ穴４１３１に螺合することにより、ケース本体４の他端側に取り付けられる。
【００２１】
環状部材５の内周面のケース本体４との接合側には、図３に示すように、内周面から内側に向かって突出する鍔状の挟持部５２が当該内周面に沿って設けられている。挟持部５２と、ケース本体４の挟持部４１４との間には、略円板状の端面側表示パネル３Ｂが挟持されている。この端面側表示パネル３Ｂに接続し、当該端面側表示パネル３Ｂの駆動を制御する図示しない制御基板３１も、端面側表示パネル３Ａに接続する前述の制御基板３１と同様に、筒部４１の内周面に取り付けられている。開口５Ａには、端面側表示パネル３Ｂを覆うように、透光性を有するカバーガラス６Ｂが嵌められ、挟持部５２によって支持されている。
【００２２】
環状部材５の立上がり部４２と対向する側の面には、立上がり部４２の溝部４２１と対向する位置に、当該溝部４２１と周面側表示パネル３Ｃを挟持する断面視略凹状、かつ、平面視略環状の溝部５３が形成されているとともに、この溝部５３の径方向外側には、カバーガラス６Ｃを支持する平面視略環状の支持部５４が形成されている。
【００２３】
図２および図３に示すように、ケース本体４の筒部４１外周には、帯状の表示パネルの両端部が互いに継ぎ合わされて略３６０度の円環状にされた周面側表示パネル３Ｃが嵌められ、立上がり部４２に形成された溝部４２１と、環状部材５に形成された溝部５３との間に挟持されている。また、この周面側表示パネル３Ｃの外側には、立上がり部４２と環状部材５との間に周状に形成された開口２Ａを閉塞し、周面側表示パネル３Ｃを覆う環状のカバーガラス６Ｃが支持部４４，５４に支持されるとともに、ケース本体４および環状部材５の間に挟持されている。
【００２４】
なお、周面側表示パネル３Ｃの互いに継ぎ合わされた端部のうち、片方の端部には図示しない制御基板３１が接続され、周面側表示パネル３Ｃと筒部４１との間に設置される。この制御基板３１は、前述したリード線等により、端面側表示パネル３Ａ，３Ｂと接続する各制御基板３１と接続しており、ボタン４３による入力信号は、当該制御基板３１を通して端面側表示パネル３Ａ，３Ｂに接続する各制御基板３１に伝達されるようになっている。
【００２５】
本実施形態では、これら各表示パネル３Ａ，３Ｂ，３Ｃ、および表示パネル３Ａ，３Ｂ，３Ｃと接続する各制御基板３１は、ボタン電池等の一次電池から構成される図示しない電池７１を共有している。この電池７１は、筒部４１および端面側表示パネル３Ａ，３Ｂによって囲まれた中心側空間Ｓ１内に設けられ、リード線等を利用して各表示パネル３Ａ，３Ｂ，３Ｃに接続されている。なお、図３に示すように、本実施形態の時計１Ａでは、各カバーガラス６Ａ，６Ｃとケース本体４との間、カバーガラス６Ｂと環状部材５との間、およびケース本体４と環状部材５との間には、環状のパッキン８１，８２，８３，８４，８５が介装されている。また、ねじ７が挿入される環状部材５の孔５１には、Ｏリング等からなるパッキン８６が嵌められている。これにより、各表示パネル３Ａ，３Ｂ，３Ｃはケース２内に密閉収納され、各表示パネル３Ａ，３Ｂ，３Ｃの防湿・防水化が図られている。
【００２６】
図５は、時計１Ａを表側から見た図、図６は、時計１Ａを側方から見た図、図７は、時計１Ａを裏側から見た図である。
以上のように、本実施形態の時計１Ａは、筒状のケース２の両端側および外周側には、各表示パネル３Ａ，３Ｂ，３Ｃが設けられ、図５〜図７に示すように、時計１Ａの全面において、時刻や日時等を表示することができるので、時計１Ａを自由な向きに置くことができ、利便性を向上できる。また、懐中時計のように時計１Ａを持ち運んでいる時も、時計１Ａの全面に時刻等が表示されているので、即座に時刻等を視認できて利便性を向上できる。なお、周面では、表面および裏面での時刻表示部分の両横側にあたる部分に、時刻が表示されるようになっており、図６に示す時刻が表示された部分の反対側にも、時刻が表示される。また、周面では、周方向に表示がスクロールされてもよい。
【００２７】
〔制御基板３１の構成〕
図８は、制御基板３１の構成を示すブロック図である。
表示パネル３Ａ，３Ｂ，３Ｃと接続する各制御基板３１は、当該制御基板３１と接続する表示パネル３Ａ，３Ｂ，３Ｃおよび当該制御基板３１全体を制御するコントローラ３１１と、コントローラ３１１の制御下で各表示パネル３Ａ，３Ｂ，３Ｃの駆動を制御するディスプレイドライバ３１２とを備え、共有の電池７１により電力が供給される。また、コントローラ３１１には、筒部４１内周面等に取り付けられ、３軸（Ｘ，Ｙ，Ｚ）方向にかかる加速度を測定する加速度センサ７２から加速度情報が送られてくる。
【００２８】
図９は、加速度センサ７２を説明するための図である。
この加速度センサ７２は、図９に示すように、時計１Ａの互いに直交する３軸（Ｘ，Ｙ，Ｚ）方向にかかる加速度（重力加速度）を測定し、測定された加速度情報をコントローラ３１１に送る。なお、本実施形態では、図９に示すように、Ｘ軸方向およびＹ軸方向は、時計１Ａ（端面側表示パネル３Ａ，３Ｂ）の径方向に沿いかつ互いに直交する方向とし、Ｚ軸方向は、時計１Ａ（端面側表示パネル３Ａ，３Ｂ）の軸方向に沿った方向とする。
【００２９】
コントローラ３１１は、図８に示すように、ＭＰＵ３１３，ＲＯＭ３１４，およびＲＡＭ３１５等を備え、ＲＯＭ３１４に予め格納された制御プログラムに基づいてＭＰＵ３１３が処理を行い、当該制御基板３１と接続する各表示パネル３Ａ，３Ｂ，３Ｃ、および当該制御基板３１全体を制御する。ＲＡＭ３１５には、各種データが一時的に格納される。
【００３０】
図１０は、傾けられたり、周方向に回転された状態における時計１Ａの時刻表示を説明するための図である。具体的には、図１０（Ａ）は、中心軸が水平な状態から表面側に傾けられた状態の時計１Ａを示す図、図１０（Ｂ）は中心軸が水平な状態の時計１Ａを示す図、図１０（Ｃ）は、中心軸が水平な状態から裏面側に傾けられた状態の時計１Ａを示す図、図１０（Ｄ）は、図１０（Ｃ）の状態からひっくり返された状態の時計１Ａを示す図、図１０（Ｅ）は、図１０（Ｄ）の状態から周方向に回転された状態の時計１Ａを示す図である。
【００３１】
この際、コントローラ３１１は、図１０（Ａ）〜図１０（Ｅ）に示すように、加速度センサ７２から送られてきた加速度情報により、重力加速度方向Ｇ（図９参照）に対する端面側表示パネル３Ａ，３Ｂの傾斜状態を検出し、各端面側表示パネル３Ａ，３Ｂにおいて、時刻や日付等を表す文字の下側が重力加速度方向Ｇの向きとなるように、文字の表示を行う。
これにより、時計１Ａを懐中時計として使う場合等において、より時刻等の表示の視認性を向上させることができる。なお、常に文字の向きを変更した場合、完全に時計１Ａを固定しなくては、文字が常に揺れている状態となってしまうため、本実施形態では、加速度センサ７２による測定は２秒毎に行うものとする。
【００３２】
〔時計１Ａの組立手順〕
本実施形態の時計１Ａは、例えば、表面（立上がり部４２が形成されたケース２の軸方向一端側の端面）を下側に向けた姿勢に設置されたケース本体４に、各表示パネル３Ａ，３Ｂ，３Ｃ、およびカバーガラス６Ｃを上方から嵌め込み、ケース本体４の軸方向上端部（軸方向他端側）に環状部材５を取り付けて組み立てる。
【００３３】
詳述すると、まず、予め表面側にカバーガラス６Ａが取り付けられたケース本体４において、筒部４１内に、挟持部４１４の切り込みを通して略円板状の端面側表示パネル３Ａを挿入する。そして、端面側表示パネル３Ａの各切欠き３Ａ１と突出状挟持部４１２との位置を合わせながら、端面側表示パネル３Ａを、挟持部４１１，４１２の間に嵌め込み、さらに回転させ、挟持部４１１，４１２の間に挟持させることにより、端面側表示パネル３Ａをケース２の軸方向一端側に設置する。
【００３４】
次に、環状にされた周面側表示パネル３Ｃを、筒部４１外周の溝部４２１に嵌め込むとともに、この周面側表示パネル３Ｃの外側に形成された支持部４４に、環状のカバーガラス６Ｃを嵌め込む。
次いで、筒部４１の他端側に形成された挟持部４１４に、略円板状の端面側表示パネル３Ｂを載置する。この際、筒部４１内周面に電池７１を取り付け、この電池７１と、各表示パネル３Ａ，３Ｂ，３Ｃに接続する制御基板３１とをリード線等を利用して接続する。
【００３５】
そして、予め裏面側にカバーガラス６Ｂが取り付けられた環状部材５を、筒部４１の他端側にねじ７で固定する。これにより、端面側表示パネル３Ｂを、ケース本体４の挟持部４１４と環状部材５の挟持部５２との間に挟持させ、ケース２の軸方向他端側に設置するとともに、周面側表示パネル３Ｃを、ケース本体４の溝部４２１と、環状部材５の溝部５３との間に狭持させることにより、ケース２の外周側に設置する。また、カバーガラス６Ｃを、ケース本体４と環状部材５との間に狭持させることにより、ケース本体４と環状部材５との間に形成された周状の開口２Ａに周面側表示パネル３Ｃを設置する。
【００３６】
従って、本実施形態によれば、以下の効果を奏することができる。
（１）本実施形態の時計１Ａは、筒状のケース２の両端側および外周側には、各表示パネル３Ａ，３Ｂ，３Ｃが設けられ、時計１Ａの全面において、時刻や日時等を表示することができるので、時計１Ａを自由な向きに置くことができ、利便性を向上できる。また、懐中時計のように時計１Ａを持ち運んでいる時も、時計１Ａの全面に時刻等が表示されているので、即座に時刻等を視認できて利便性を向上できる。
【００３７】
（２）制御基板３１は、加速度センサ７２から送られてきた加速度情報により、重力加速度方向Ｇに対する端面側表示パネル３Ａ，３Ｂの傾斜状態を検出し、各端面側表示パネル３Ａ，３Ｂにおいて、時刻や日付等を表す文字の下側が重力加速度方向Ｇの向きとなるように、文字の表示を行う。これにより、時計１Ａを懐中時計として使う場合等において、より時刻等の表示の視認性を向上させることができ、利便性をより向上できる。
【００３８】
（３）各表示パネル３Ａ，３Ｂ，３Ｃが共有する電池７１は、筒部４１および端面側表示パネル３Ａ，３Ｂによって囲まれた中心側空間Ｓ１内に設けられているので、容量の大きい大型の電池７１を設置することができ、各表示パネル３Ａ，３Ｂ，３Ｃの駆動時間を延ばすことができる。また、電池７１を共有化することで、時計１Ａの構造を単純化できる。
【００３９】
（４）本実施形態の時計１Ａでは、ケース２は、ケース本体４と環状部材５との２部材で構成されるため、部品点数を削減でき、組立て作業性を向上できる。また、ケース本体４の片側だけに環状部材５を取り付ければよいので、ねじ７の取り付け場所を減らすことができる。これにより、環状部材５において、ねじ７を挿入する孔５１に嵌めるパッキン８６の数を減らすことができ、防水性を確保しやすくなる。さらに、ケース本体４と環状部材５との接合面を１つにできるため、ケース本体４と環状部材５との間に介装する防湿・防水用のパッキン８５も容易に、かつ、確実に取り付けることができる。これにより、時計１Ａの外側から外周側空間Ｓ２への湿気の侵入を確実に防ぐことができ、湿度の影響を受けやすい電気泳動表示パネルである周面側表示パネル３Ｃへの湿度の影響を低減させることができて信頼性を向上できる。
【００４０】
（５）周面側表示パネル３Ｃは、可撓性を有する電気泳動ディスプレイであるので、略円筒状のケース２の外周側に設けられる周面側表示パネルとして好適であり、時計１Ａの周面に渡って時刻や日時等を表示することが可能となり、利便性をさらに向上できる。また、電気泳動ディスプレイは、メモリー性の表示体であるため、電圧を切った後でも静止画像を画面に残すことができるうえ、バックライトも不要なので、消費電力を低減できる。
【００４１】
（６）本実施形態の時計１Ａでは、ケース本体４の軸方向他端側（立上がり部４２が形成されていない側）から、筒部４１内に端面側表示パネル３Ａを挿入し、挟持部４１１，４１２に挟持させることで、端面側表示パネル３Ａをケース２の軸方向一端側に設置することができる。
また、ケース本体４の軸方向他端側から、挟持部４１４上に端面側表示パネル３Ｂを載置するとともに、環状の周面側表示パネル３Ｃおよびカバーガラス６Ｃを、筒部４１外周に嵌め込み、立上がり部４２に支持させる。そして、環状部材５を筒部４１の他端側に取り付け、端面側表示パネル３Ｂを挟持部４１４，５２の間に挟持させることで、当該端面側表示パネル３Ｂをケース２の軸方向他端側に設置することができる。また、周面側表示パネル３Ｃおよびカバーガラス６Ｃを、立上がり部４２と環状部材５との間に挟持させることで、周面側表示パネル３Ｃをケース２の周面側に設置することができるとともに、カバーガラス６Ｃを、立上がり部４２および環状部材５の間に形成された周状の開口２Ａに設置することができる。
従って、ケース本体４に、表示パネル３Ａ，３Ｂ，３Ｃ、カバーガラス６Ｃ、および環状部材５を、ケース本体４の軸方向他端側から取り付けることできるので、時計１Ａの組立を容易にでき、作業性をより向上させることができる。また、この際、ケース本体４を、表面（立上がり部４２が形成された軸方向一端側の端面）を下側に向けた姿勢にして、組立作業を行うことにより、各表示パネル３Ａ，３Ｂ，３Ｃ、およびカバーガラス６Ｃを当該ケース本体４に上方から嵌め込むことができ、さらに組立てを容易にできて一層作業性を向上できる。
【００４２】
〔第２実施形態〕
次に、本発明の第２実施形態について説明する。なお、本第２実施形態以降において、前記第１実施形態と同一機能部位には、同一符号を付し、それらの説明を省略する。
図１１は、本実施形態に係る時計１Ｂを径方向で切った断面図である。
前述の時計１Ａでは、ケース本体４の立上がり部４２を含む軸方向一端側は、筒部４１と一体に形成されていたのに対し、本実施形態の時計１Ｂでは、筒部４１と別部材にされている点が、前述の時計１Ａと相違する点である。
【００４３】
時計１Ｂは、図１１に示すように、ケース２と、ケース２の軸方向両端側にそれぞれ設けられた各端面側表示パネル３Ａ，３Ｂと、ケース２の外周側に設けられた周面側表示パネル３Ｃとを備えて構成されている。
ケース２は、略円筒状のケース本体４と、ケース本体４の一端側にねじ７固定される第１環状部材９と、前述の時計１Ｂの環状部材５と同一部材であり、ケース本体４の軸方向他端側にねじ７固定される第２環状部材５とを備えて構成されている。
【００４４】
第１環状部材９は、前述の時計１Ａのケース本体４の立上がり部４２を含む軸方向一端側を、ケース本体４から別部材にした部材であり、ボタン４３が配設されること以外は、第２環状部材５と略同一の構成をしている。すなわち、第１環状部材９は、時計１Ｂの中心軸に対して径方向外側に延設されているとともに、内径寸法がケース本体４の内径寸法と略等しい大きさに形成され、外形寸法が第２環状部材５の外形寸法と略等しい大きさに形成された環状の部材である。第１環状部材９の内周面のケース本体４との接合側には、内周面から内側に向かって突出する鍔状の挟持部９２が当該内周面に沿って設けられている。
また、ケース本体４の内周面の両端側には、内周面から内側に向かって突出する鍔状の挟持部４１４，４１５が当該内周面に沿って設けられている。
【００４５】
本実施形態では、表面側に設置される端面側表示パネル３Ａは、挟持部４１５上に載置され、第１環状部材９がケース本体４に取り付けられることで、ケース本体４の挟持部４１５と、第１環状部材９の挟持部９２との間に狭持され、ケース２の軸方向一端側に設置される。なお、第１環状部材９とケース本体４との間には、環状のパッキン８７が介装される。また、ねじ７が挿入される第１環状部材９の孔９１には、Ｏリング等からなるパッキン８８が嵌められる。
【００４６】
このような本実施形態でも、前述の時計１Ａと同様の効果（１）〜（３），（５）を得ることができるうえ、以下の効果を奏することができる。
（７）本実施形態の時計１Ｂでは、第１環状部材９と、第２環状部材５との構造が略同様であり、第１環状部材９とケース本体４との接合構造、および第２環状部材５とケース本体４との接合構造が略同様である。従って、ねじ７、第２環状部材５の孔５１に嵌められるパッキン８６と第１環状部材９の孔９１に嵌められるパッキン８８、ケース本体４と環状部材５，９との間に介装されるパッキン８５，８７、および端面側表示パネル３Ａ，３Ｂ等を共通化でき、コストを削減できる。
【００４７】
〔実施形態の変形〕
なお、本発明を実施するための最良の構成、方法等は、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、数量、その他の詳細な構成において、当業者が様々な変形を加えることができるものである。
従って、上記に開示した形状、数量等を限定した記載は、本発明の理解を容易にするために例示的に記載したものであり、本発明を限定するものではないから、それらの形状、数量等の限定の一部もしくは全部の限定を外した部材の名称での記載は、本発明に含まれるものである。
【００４８】
すなわち、前記各実施形態では、ケース２は、円筒状に形成されていたが、ケース２は、四角筒状などの多角筒状に形成されていてもよく、円筒状であることに限定されない。
各表示パネル３Ａ，３Ｂ，３Ｃは、電池７１を共有していたが、各表示パネル３Ａ，３Ｂ，３Ｃは、互いに異なる電池７１に接続されていてもよく、電池７１を共有していなくともよい。
前記各実施形態では、電池７１として、一次電池であるボタン電池が用いられていたが、充電可能なリチウムポリマー電池などの二次電池が用いられていてもよい。
【００４９】
前記各実施形態では、重力加速度方向Ｇに対する各表示パネル３Ａ，３Ｂ，３Ｃの傾斜状態を検出するためのセンサとして、３軸方向にかかる加速度を測定できる加速度センサ７２が用いられていたが、これに限らず、重力加速度方向Ｇに対する各表示パネル３Ａ，３Ｂ，３Ｃの傾斜状態を検出できれば、２軸方向にかかる加速度を測定できる加速度センサ、１軸にかかる加速度を測定できる複数の加速度センサが用いられていてもよい。加速度センサ以外にも、例えば、ジャイロセンサが用いられてもよい。
【００５０】
また、時計１Ａ，１Ｂは、重力加速度方向Ｇに対する各表示パネル３Ａ，３Ｂ，３Ｃの傾斜状態を検出するためのセンサ７２を備えていなくてもよい。すなわち、時計１Ａ，１Ｂを天井から鎖などで吊り下げて使用する場合には、鎖の取り付け位置で時計１Ａ，１Ｂの上下方向が決まるので、各端面側表示パネル３Ａ，３Ｂにおいて、この上下方向に基づいて文字の表示を行うことで、時刻等の表示の視認性を向上させることができる。
また、周面を机等に当接させ、時計１Ａ，１Ｂを立てて使用する場合には、筒部４１の内周面などに錘を取り付けることで、錘（錘を用いない場合は時計１Ａ，１Ｂの重心）のある側が下に来るので、やはり、時計１Ａ，１Ｂの上下方向を決めることができ、端面側表示パネル３Ａ，３Ｂにおいて、この上下方向に基づいて文字の表示を行うことで、時刻等の表示の視認性を向上させることができる。
そして、端面を机等に当接させ、時計１Ａ，１Ｂを寝かせて使用する場合には、一般にボタン４３の配設された表面側が上にくるように机等に載置されるので、これにより、時計１Ａ，１Ｂの上下方向が決まり、周面側表示パネル３Ｃにおいて、この上下方向に基づいて時刻等を表示することで視認性を向上できる。なお、ボタン４３は図１，６，１０では立上がり部４２（ケース２表面）より突出しているが、立上がり部４２の平面（ケース２表面）と面一でれば、誤って押されることがない。
各表示パネル３Ａ，３Ｂ，３Ｃに表示する表示対象は、温度表示や、画像でもよく、時刻表示に限らない。
【００５１】
前記各実施形態では、各表示パネル３Ａ，３Ｂ，３Ｃは、カバーガラス６Ａ，６Ｂ，６Ｃに覆われ、カバーガラス６Ａ，６Ｂ，６Ｃの厚み分ケース２の内側に配置されていたが、各表示パネル３Ａ，３Ｂ，３Ｃは、カバーガラス６Ａ，６Ｂ，６Ｃに覆われていなくてもよく、ケース２の端に設けられて、前記各実施形態におけるカバーガラス６Ａ，６Ｂ，６Ｃと同様に、ケース２の端面を構成していてもよい。
【００５２】
前記各実施形態のように、周面側表示パネル３Ｃを環状に丸めて用いる場合には、周面側表示パネル３Ｃとして、電気泳動ディスプレイパネル以外にも、例えば、可撓性を備えたタイプの有機ＥＬ（Electro Luminescence）ディスプレイパネル等を用いることができる。また、ケース２が三角筒状に形成され、周面が３つの平面から構成される場合等では、周面側表示パネル３Ｃは、周面を構成する各平面に設けられるので、可撓性を備えている必要はなく、周面側表示パネル３Ｃには、電気泳動ディスプレイパネルや有機ＥＬディスプレイパネルの他に、例えば、液晶ディスプレイパネル等の表示パネルを用いることができる。
前記各実施形態では、端面側表示パネル２Ａ，２Ｂとして、電気泳動ディスプレイパネルが用いられていたが、端面側表示パネル２Ａ，２Ｂには、有機ＥＬディスプレイパネルや液晶ディスプレイパネルが用いられてもよく、電気泳動ディスプレイパネルであることに限定されない。
【図面の簡単な説明】
【００５３】
【図１】本発明の第１実施形態に係る時計の斜視図。
【図２】前記実施形態の時計の分解斜視図。
【図３】前記実施形態の時計を径方向で切った断面図。
【図４】前記実施形態のケース本体への表示パネルの取り付け構造を説明するための図。
【図５】前記実施形態の時計を表側から見た図。
【図６】前記実施形態の時計を側方から見た図。
【図７】前記実施形態の時計を裏側から見た図。
【図８】前記実施形態の制御基板の構成を示すブロック図。
【図９】前記実施形態の加速度センサを説明するための図。
【図１０】傾けられたり、周方向に回転された状態における前記実施形態の時計の時刻表示を説明するための図。
【図１１】本発明の第２実施形態に係る時計を径方向で切った断面図。
【符号の説明】
【００５４】
１Ａ，１Ｂ…時計、２…ケース、２Ａ…開口、３Ａ…端面側表示パネル（第１端面側表示パネル）、３Ｂ…端面側表示パネル（第２端面側表示パネル）、３Ｃ…周面側表示パネル、４…ケース本体、５…環状部材、６Ｃ…カバーガラス、４１…筒部、４２…立上がり部、７２…センサ（加速度センサ）、４１２…突出状挟持部（挟持部）、５２，４１４…挟持部、Ｓ１…筒部および各端面側表示パネルに囲まれた空間（中心側空間）、Ｓ２…筒部、立上がり部、環状部材、およびカバーガラスに囲まれた空間（外周側空間）、Ｇ…重力加速度方向。
【図１】
2008089512.tif 000003
【図２】
2008089512.tif 000004
【図３】
2008089512.tif 000005
【図４】
2008089512.tif 000006
【図５】
2008089512.tif 000007
【図６】
2008089512.tif 000008
【図７】
2008089512.tif 000009
【図８】
2008089512.tif 000010
【図９】
2008089512.tif 000011
【図１０】
2008089512.tif 000012
【図１１】
2008089512.tif 000013